(57)【要約】      （修正有）【課題】構造が簡潔にでき、操作性が良好なＨＭＩ（ヒューマン・マシン・インターフェイス）が出来る耐圧防爆機器を提供する。【解決手段】内部の電気火花により可燃性ガスに引火しても外部へ火炎を漏らさずに誘爆を防ぐ耐圧防爆機器において、前記耐圧防爆機器本体ケースに設けられたＱＲコード(登録商標）読み取り部と、前記耐圧防爆機器本体ケース内に設けられ前記ＱＲコード（登録商標）読み取り部を介してＱＲコード（登録商標）を読み取るＣＣＤ部と、このＣＣＤ部で読み取った信号を受け取るＱＲコード（登録商標）識別部とを具備した。【選択図】図１
2011041360.tif 000002
【特許請求の範囲】
【請求項１】
内部の電気火花により可燃性ガスに引火しても外部へ火炎を漏らさずに誘爆を防ぐ耐圧防爆機器において、
前記耐圧防爆機器本体ケースに設けられたＱＲコード読み取り部と、
前記耐圧防爆機器本体ケース内に設けられ前記ＱＲコード読み取り部を介してＱＲコードを読み取るＣＣＤ部と、
このＣＣＤ部で読み取った信号を受け取るＱＲコード識別部と
を具備したことを特徴とする耐圧防爆機器。
【請求項２】
ＱＲコード読み取り部は光学レンズが使用されたこと
を特徴とする請求項１記載の耐圧防爆機器。
【発明の詳細な説明】
【技術分野】
【０００１】
本発明は、耐圧防爆機器に関するものである。
更に詳述すれば、耐圧防爆機器のキー操作部分に関するものである。
【背景技術】
【０００２】
従来の耐圧防爆機器は耐圧防爆構造を維持した状態で、機器を操作する必要があるために、下記のような方式を採用している。
【０００３】
図４は従来より一般に使用されている従来例の要部構成説明図で、キー操作にメカニカルスイッチを使う場合である。
図において、１はプリント基板、２はプリント基板１に取り付けられたプッシュスイッチ、３はプッシュスイッチ２に取り付けられたシャフト、４は耐圧防爆機器の容器の壁である。
【０００４】
以上の構成において、耐圧防爆機器の容器の壁４に配置されたシャフト３を通して、耐圧防爆機器の内部のプッシュスイッチ２を押すことで耐圧防爆機器を操作する。
【０００５】
図５は従来より一般に使用されている他の従来例の要部構成説明図で、キー操作に光スイッチを使う場合である。
図において、１１はプリント基板、１２はプリント基板１１に取り付けられた光スイッチ、１３は耐圧防爆機器の容器の壁１４に設けられたガラスである。
以上の構成において、ガラス１３を通して、指の光反射で光スイッチを動かすことで耐圧防爆機器を操作する。
【先行技術文献】
【特許文献】
【０００６】
【特許文献１】実開平０１−０６０３１８号公報
【特許文献２】実開平０３−０２０４７８号公報
【特許文献３】実開平０４−１０２５２８号公報
【特許文献４】実開平０７−０２９７２４号公報
【特許文献５】特開２００１−２２９７６３号公報
【特許文献６】特開２００２−３１３１７８号公報
【発明の概要】
【発明が解決しようとする課題】
【０００７】
このような装置においては、以下の問題点がある。
シャフトを使用するプッシュスイッチ方式は、耐圧防爆構造を維持しなければならないので、機構が複雑になる。
光スイッチを使用すると、誤動作、操作感が悪い等の操作性が悪い。ハードが非防爆機器に対して大きく変わる。
【０００８】
本発明の目的は、上記の課題を解決するもので、構造が簡潔にでき、操作性が良好なＨＭＩ（ヒューマン・マシン・インターフェイス）が出来る耐圧防爆機器を提供することにある。
【課題を解決するための手段】
【０００９】
このような課題を達成するために、本発明では、請求項１の耐圧防爆機器においては、
内部の電気火花により可燃性ガスに引火しても外部へ火炎を漏らさずに誘爆を防ぐ耐圧防爆機器において、前記耐圧防爆機器本体ケースに設けられたＱＲコード読み取り部と、前記耐圧防爆機器本体ケース内に設けられ前記ＱＲコード読み取り部を介してＱＲコードを読み取るＣＣＤ部と、このＣＣＤ部で読み取った信号を受け取るＱＲコード識別部とを具備したことを特徴とする。
【００１０】
本発明の請求項２の耐圧防爆機器においては、請求項１記載の耐圧防爆機器において、
ＱＲコード読み取り部は光学レンズが使用されたことを特徴とする。
【発明の効果】
【００１１】
本発明の請求項１によれば、次のような効果がある。
耐圧防爆機器において、構造が簡潔にでき、操作性が良好なＨＭＩ（ヒューマン・マシン・インターフェイス）が出来る耐圧防爆機器が得られる。
本体機器に、ＱＲコード読み取り機構を追加すればよく、内部回路は非防爆機器とほとんど共通化できるので、安価な耐圧防爆機器が得られる。
【００１２】
手が汚れている、あるいは手袋をしている等のように機器に直接触れて操作できない場合に、機器の操作を確実に操作できる耐圧防爆機器が得られる。
ＱＲコードを使用しなければならないので、セキュリティ効果が確保できる耐圧防爆機器が得られる。
【００１３】
本発明の請求項２によれば、次のような効果がある。
ＱＲコード読み取り部は光学レンズが使用されたので、占有面積を小さく出来、耐圧防爆に好適な耐圧防爆機器が得られる。
【図面の簡単な説明】
【００１４】
【図１】本発明の一実施例の要部構成説明図である。
【図２】図１の要部詳細構成説明図である。
【図３】図１の動作説明図である。
【図４】従来より一般に使用されている従来例の要部構成説明図である。
【図５】従来より一般に使用されている他の従来例の要部構成説明図である。
【発明を実施するための形態】
【００１５】
以下本発明を図面を用いて詳細に説明する。
図１は本発明の一実施例の要部構成説明図で、防爆型ジルコニア酸素計に使用された例を示す。図２は図１の要部詳細説明図、図３は図１の動作説明図である。
図において、図４と同一記号の構成は同一機能を表す。
以下、図４との相違部分のみ説明する。
【００１６】
図１，図２において、ＱＲコード読み取り部２２は、耐圧防爆機器本体ケース２１に設けられている。
この場合は、ＱＲコード読み取り部２２は光学レンズが使用されている。
ＣＣＤ部２３は、耐圧防爆機器本体ケース２１内に設けられ、ＱＲコード読み取り部２２を介してＱＲコードを読み取る。
【００１７】
ＱＲコード識別部２４は、ＣＣＤ部２３で読み取った信号を受け取る。
なお、ＱＲコード識別部２４からの信号は、耐圧防爆機器内の制御回路（図示せず）に送られ、耐圧防爆機器が動作されることになる。
【００１８】
以上の構成において、たとえば、図３に示す如く、耐圧防爆機器に添付付属させたＱＲコード生成ソフト３１によって、設定項目や実行項目をＱＲコード化し、プリントアウトする。
ＱＲコードには、例えば、耐圧防爆機器の一連の操作のコマンドが入れられる。
プリントアウトしたＱＲコードを、ＱＲコード読み取り部２２で読み込ませ、耐圧防爆機器の操作を実行させる。
【００１９】
この結果、耐圧防爆機器において、構造が簡潔にでき、操作性が良好なＨＭＩ（ヒューマン・マシン・インターフェイス）が出来る耐圧防爆機器が得られる。
本体機器に、ＱＲコード読み取り機構を追加すればよく、内部回路は非防爆機器とほとんど共通化できるので、安価な耐圧防爆機器が得られる。
【００２０】
手が汚れている、あるいは手袋をしている等のように機器に直接触れて操作できない場合に、機器の操作を確実に操作できる耐圧防爆機器が得られる。
ＱＲコードを使用しなければならないので、セキュリティ効果が確保できる耐圧防爆機器が得られる。
ＱＲコード読み取り部２２は光学レンズが使用されたので、占有面積を小さく出来、耐圧防爆に好適な耐圧防爆機器が得られる。
【００２１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２２】
１      プリント基板
２      プッシュスイッチ
３      シャフト
４      容器の壁
１１    プリント基板
１２    光スイッチ
１３    ガラス
１４    容器の壁
２１    耐圧防爆機器本体ケース
２２    ＱＲコード読み取り部
２３    ＣＣＤ部
２４    ＱＲコード識別部
３１    ＱＲコード生成ソフト
【図１】
2011041360.tif 000003
【図２】
2011041360.tif 000004
【図３】
2011041360.tif 000005
【図４】
2011041360.tif 000006
【図５】
2011041360.tif 000007